(57)【要約】【課題】エアフローを作るのに必要な、空調機の冷気を運搬するエネルギーを低減する技術を提供する。【解決手段】電子機器を収容するラック１１０と、複数のラック１１０を列状に並べることで構成されるラック列１２０と、ラック列１２０とラック列１２０が面する他のラック列１２０とにより挟まれる通路と、を有するデータセンタであって、ラック列１２０は、空気が通路を進行する方向に進むほど、ラック列１２０と他のラック列１２０との間隔が狭くなるように配置され、これにより、空調機１００の冷気を運搬するエネルギーを低減させる。【選択図】図１
2015207226.tif 000002
【特許請求の範囲】
【請求項１】
電子機器を収容するラックと、複数の前記ラックを列状に並べることで構成されるラック列と、前記ラック列と前記ラック列が面する他のラック列とにより挟まれる通路と、を有するデータセンタであって、
前記ラック列は、空気が前記通路を進行する方向に進むほど、前記ラック列と前記他のラック列との間隔が狭くなるように配置される、データセンタ。
【請求項２】
請求項１に記載のデータセンタにおいて、
前記ラック列を構成するラックは、他のラック列を構成するラックと前面同士と、背面同士とが通路を挟むように配置され、
前記ラック列を構成する前記ラックの前面側に、コールドアイルが形成され、前記ラックの背面側にホットアイルが形成される、
データセンタ。
【請求項３】
請求項２に記載のデータセンタにおいて、
前記コールドアイルおよび前記ホットアイルの上方を覆う隔壁をさらに有する、データセンタ。
【請求項４】
請求項２に記載のデータセンタにおいて、
前記コールドアイルの下方の床面の一部が、グレーチングで形成され、
空調機が床下の通風空間に向けて送風した冷気は、前記グレーチングを介して前記コールドアイルへ吹き出される、
データセンタ。
【請求項５】
請求項４に記載のデータセンタにおいて、
前記通風空間は、前記冷気の進行方向に進むほど、幅方向の距離が短くなる、データセンタ。
【請求項６】
請求項１に記載のデータセンタにおいて、
データセンタの壁と面する前記ラック列を、前記壁と並行させて配置し、
前記壁と並行するラックと面するラック列を、前記壁と並行するラック列と非平行で列状に並べて配置する、
データセンタ。
【請求項７】
請求項１に記載のデータセンタにおいて、
第１踊り場から前記第１踊り場よりも低い位置にある第２踊り場まで延びる階段をさらに有し、
空調機は、前記第１踊り場に配置され、
前記ラック列は、前記ラックが前記階段の昇降方向に列状に並べて配置されることで構成される、
データセンタ。
【請求項８】
電子機器を収容するラックと、複数の前記ラックを列状に並べることで構成されるラック列と、前記ラック列と前記ラック列が面する他のラック列とにより挟まれる通路と、を有するデータセンタにおける配置方法であって、
前記ラック列を、空気が前記通路を進行する方向に進むほど、前記ラック列と前記他のラック列との間隔が狭くなるように配置する、データセンタにおける配置方法。
【発明の詳細な説明】
【技術分野】
【０００１】
本発明は、データセンタおよびデータセンタにおける配置方法に関する。
【背景技術】
【０００２】
データセンタには、複数のサーバラック（以下、ラックと呼ぶ場合がある）が設置される。それぞれのラックは、箱形の筐体であり、それぞれのラックには、サーバ装置、ストレージ装置、ネットワーク装置などの電子機器が収容される。
【０００３】
また、データセンタでは、複数のラックを列状に並べたラック列が配置される。データセンタ内には複数のラック列が配置され、その際にラック列の前面同士および背面同士が通路を挟んで対向するように配置される。そして、ラック列の前面側にコールドアイルが形成され、ラック列の背面側にホットアイルが形成される。
【０００４】
空調機からコールドアイルへ送風される冷気は、ラックのそれぞれの吸気口から吸引される。その後、ラックに収容された電子機器を冷却することにより暖められた空気は、それぞれのラックの排気口からホットアイルへ排出され、空調機により冷却され、再びコールドアイルへ送風される。このようなエアフローが作られることで、電子機器の冷却が可能になる。
【０００５】
特開２００４−１８４０７０号公報（特許文献１）には、ラックの前面に回り込み防止壁を設置し、コールドアイルとホットアイルとの間を分離することが記載されている。
【先行技術文献】
【特許文献】
【０００６】
【特許文献１】特開２００４−１８４０７０号公報
【発明の概要】
【発明が解決しようとする課題】
【０００７】
上述したエアフローを作るためには、空調機から送風される冷気の風量を一定以上にする必要がある。
【０００８】
特許文献１に記載された技術では、コールドアイルとホットアイルとの間を分離することができる。しかし、特許文献１に記載された技術では、上述したエアフローを作るために必要な冷気を運搬するのに大きなエネルギーが必要だった。また、空調機の消費電力も大きかった。
【０００９】
本発明の目的は、エアフローを作るのに必要な、空調機の冷気を運搬するエネルギーを低減する技術を提供することである。
【課題を解決するための手段】
【００１０】
本願において開示される発明のうち、代表的なものの概要を簡単に説明すれば、次の通りである。
【００１１】
本発明の一実施の形態は、電子機器を収容するラックと、複数の前記ラックを列状に並べることで構成されるラック列と、前記ラック列と前記ラック列が面する他のラック列とにより挟まれる通路と、を有するデータセンタであって、前記ラック列は、空気が前記通路を進行する方向に進むほど、前記ラック列と前記他のラック列との間隔が狭くなるように配置される。
【００１２】
また、他の実施の形態では、電子機器を収容するラックと、複数の前記ラックを列状に並べることで構成されるラック列と、前記ラック列と前記ラック列が面する他のラック列とにより挟まれる通路と、を有するデータセンタにおける配置方法であって、前記ラック列を、空気が前記通路を進行する方向に進むほど、前記ラック列と前記他のラック列との間隔が狭くなるように配置する。
【発明の効果】
【００１３】
本願において開示される発明のうち、代表的なものによって得られる効果を簡単に説明すれば以下のとおりである。
【００１４】
本発明の代表的な実施の形態によれば、空調機の冷気を運搬するエネルギーを低減できるようになる。
【図面の簡単な説明】
【００１５】
【図１】本発明の実施の形態１におけるデータセンタの構成例の概要を示す平面図である。
【図２】本発明の実施の形態１におけるデータセンタの構成例の概要を示す正面図である。
【図３】本発明の実施の形態１におけるデータセンタの構成例の概要を示す背面図である。
【図４】本発明の実施の形態１におけるデータセンタのコールドアイルを正面から観察した図である。
【図５】本発明の実施の形態１におけるデータセンタのコールドアイルを正面から観察した図である。
【図６】本発明の実施の形態１におけるデータセンタのコールドアイルを正面から観察した図である。
【図７】本発明の実施の形態１におけるデータセンタのホットアイルを正面から観察した図である。
【図８】本発明の実施の形態１におけるデータセンタのホットアイルを正面から観察した図である。
【図９】本発明の実施の形態１におけるデータセンタのホットアイルを正面から観察した図である。
【図１０】本発明の実施の形態１におけるデータセンタの構成例の概要を示す他の平面図である。
【図１１】本発明の実施の形態１におけるデータセンタの構成例の概要を示す他の平面図である。
【図１２】本発明の実施の形態２におけるデータセンタの構成例の概要を示す平面図である。
【図１３】本発明の実施の形態２におけるデータセンタの通風空間の概要を示す平面図である。
【図１４】本発明の実施の形態２におけるデータセンタの構成例の概要を示す他の平面図である。
【図１５】本発明の実施の形態３におけるデータセンタの構成例の概要を示す斜視図である。
【図１６】本発明の実施の形態３におけるデータセンタのコールドアイルを側方から観察した図である。
【図１７】本発明の実施の形態３におけるデータセンタのホットアイルを側方から観察した図である。
【発明を実施するための形態】
【００１６】
以下、本発明の実施の形態を図面に基づいて詳細に説明する。なお、実施の形態を説明するための全図において、同一部には原則として同一の符号を付し、その繰り返しの説明は省略する。
【００１７】
[実施の形態１]
本発明の実施の形態１は、通過する断面積が小さければ小さいほど空間を通過する空気（冷気および熱気）の速さが増加し、通過する断面積が大きければ大きいほど空間を通過する空気の速さが減少するという空気の性質を利用することで、エアフローを作るのに必要な、空調機の冷気を搬送するエネルギーを低減するものである。
【００１８】
つまり、本発明の実施の形態１は、ラック列を、このラック列が面する他のラック列と非平行で列状に並べて配置することで、空気が通過する進行方向へ進むほど、空気が通過する空間の断面積が小さくなり、空気を進行方向へとスムーズに流すことを可能にするものである。これにより、空調機の冷気を運搬するエネルギーを低減できるようになる。
【００１９】
図１は、本発明の実施の形態１におけるデータセンタの構成例の概要を示す平面図である。なお、図１において、データセンタは、説明の便宜の為に模式的に図示されている。図１に示されるように、データセンタには、複数のラック１１０を列状に並べたラック列１２０が配置される。また、データセンタには、複数のラック列１２０が並列して配置される。
【００２０】
各ラック１１０には、サーバ装置、ストレージ装置、ネットワーク装置などの電子機器が収容される。また、各ラック１１０の前面には、冷気１５０を吸気する吸気口（不図示）が設けられる。さらに、各ラック１１０の背面には、熱気１６０を排気する排気口（不図示）が設けられる。
【００２１】
ラック列１２０を構成するラック１１０は、他のラック列１２０を構成するラック１１０と前面同士が通路を挟むように配置される。さらに、ラック列１２０を構成するラック１１０は、他のラック列１２０を構成するラック１１０と背面同士が通路を挟むように配置される。そして、ラック１１０の前面側にコールドアイル１３０が形成され、ラック１１０の背面側にホットアイル１４０が形成される。
【００２２】
コールドアイル１３０を挟む各ラック列１２０は、非平行で配置され、コールドアイル１３０を挟む各ラック列１２０の間の中心線と各ラック列１２０とが所定の角度（例えば、１度〜４５度のいずれかの角度）をなすように配置される。そして、コールドアイル１３０を挟む各ラック列１２０は、ラック列１２０を構成するラック１１０の前面から、他のラック列１２０を構成するラック１１０の前面までの幅方向の距離（以下、前面間距離と呼ぶ場合がある）が空調機１００から離れるほど短くなるように配置される。つまり、冷気１５０がコールドアイル１３０の進行方向（冷気１５０が進行する方向）に進むほど、一方のラック列１２０から他方のラック列１２０（一方のラック列１２０と面するラック列１２０）までの間隔が狭くなるようにラック列１２０は、配置される。
【００２３】
ホットアイル１４０を挟む各ラック列１２０は、非平行で配置され、ホットアイル１４０を挟む各ラック列１２０の間の中心線とラック列１２０とが所定の角度（例えば、１度〜４５度のいずれかの角度）をなすように配置される。そして、ホットアイル１４０を挟む各ラック列１２０は、ラック列１２０を構成するラック１１０の背面から、他のラック列１２０を構成するラック１１０の背面までの距離（以下、背面間距離と呼ぶ場合がある）が空調機１００に近づくほど短くなるように配置される。つまり、熱気１６０がホットアイル１４０の進行方向（熱気１６０が進行する方向）に進むほど、一方のラック列１２０から他方のラック列１２０（一方のラック列１２０と面するラック列１２０）までの間隔が狭くなるようにラック列１２０は、配置される。
【００２４】
空調機１００は、ラック１１０に収容される電子機器を冷却させるための冷気１５０をコールドアイル１３０へ送風する。空調機１００からコールドアイル１３０へ送風された冷気１５０は、コールドアイル１３０を通過する。
【００２５】
コールドアイル１３０を通過する冷気１５０は、ラック１１０の吸気口からラック１１０内へ吸気される。ラック１１０に収容される電子機器は、吸気された冷気１５０により冷却される。ラック１１０内へ吸気された冷気１５０は、電子機器を冷却することで、熱気１６０になる。その後、熱気１６０は、ラック１１０の排気口からホットアイル１４０へと排気される。そして、排気口からホットアイル１４０へ排気された熱気１６０は、ホットアイル１４０を空調機１００へ向かって通過する。ホットアイル１４０を通過した熱気１６０は、空調機１００により回収される。空調機１００により回収された熱気１６０は、空調機１００により冷却される。そして、空調機１００は、冷気１５０をコールドアイル１３０へ送風する。このように、空調機１００が、冷気１５０を送風し、熱気１６０を回収するエアフローが形成される。
【００２６】
図２は、本発明の実施の形態１におけるデータセンタの構成例の概要を示す正面図である。また、図３は、本発明の実施の形態１におけるデータセンタの構成例の概要を示す背面図である。なお、図２および図３において、データセンタは、説明の便宜の為に模式的に図示されている。
【００２７】
図２および図３に示されるように、ラック列１２０を構成する各ラック１１０は、データセンタの床面１８０に載置される。また、コールドアイル１３０の上方には、隔壁１７０が設けられる。また、この隔壁１７０は、コールドアイル１３０を挟む各ラック列１２０の上面に固定され、コールドアイル１３０の上方を覆う。さらに、コールドアイル１３０は、ラック列１２０によって挟まれる。そして、コールドアイル１３０は、上方が隔壁１７０、下方が床面１８０、側方がラック列１２０によって囲われることによって、通路端面１３１から通路他端面１３２までの間に形成される。
【００２８】
空調機１００から送風される冷気１５０は、通路端面１３１からコールドアイル１３０へ流入する。そして、コールドアイル１３０へ流入した冷気１５０は、通路端面１３１側から通路他端面１３２側へ向かって流れる。
【００２９】
ホットアイル１４０は、ラック列１２０によって挟まれる。そして、ホットアイル１４０は、側方がラック列１２０によって挟まれることによって、通路端面１４１から通路他端面１４２までの間に形成される。そして、排気口から排気された熱気１６０は、通路端面１４１側から通路他端面１４２側へ向かって流れることでホットアイル１４０を通過する。空調機１００は、通路他端面１４２と対向して配置される。そして、通路他端面１４２を通過した熱気１６０は、空調機１００により回収される。なお、空調機１００を、通路他端面１３２と対向して配置するようにしても良い。また、空調機１００を、通路他端面１４２から通路他端面１３２までの間に配置するようにしても良い。
【００３０】
ここで、ベルヌーイの定理にて知られるように、空気（冷気１５０および熱気１６０）には、通過する断面積が小さければ小さいほど空間を通過する速さが増加する性質があり、通過する断面積が大きければ大きいほど空間を通過する速さが減少する性質がある。
【００３１】
図４〜図６は、本発明の実施の形態１におけるデータセンタのコールドアイル１３０を正面から観察した図である。また、図４〜図６は、冷気１５０が通路端面側から通路他端面側へ向かって流れる各過程を示す。図４〜図６に示されるように、冷気１５０がコールドアイル１３０を進行方向に進むほど、コールドアイル１３０を挟むラック列１２０の間の幅方向の距離が短くなり、冷気１５０が通過する空間（コールドアイル１３０）の縦断面３１０，３２０，３３０の面積が小さくなる。つまり、空調機１００からの距離が離れるほど、冷気１５０が通過する空間の縦断面３１０，３２０，３３０の面積は小さくなる。詳細には、図４に示される空調機１００からの距離が近い空間の縦断面３１０の面積の方が、図５に示される縦断面３２０の面積よりも大きい。また、図５に示される縦断面３２０の面積の方が、図６に示される縦断面３３０の面積よりも大きい。
【００３２】
ここで、空調機１００からの距離が離れるほど、空調機１００から送風される冷気１５０の風量は小さくなる。しかし、空調機１００からの距離が離れるほど、冷気１５０が通過する空間の縦断面３１０，３２０，３３０の面積も小さくなるため、冷気１５０は、コールドアイル１３０を進行方向へスムーズに通過する。
【００３３】
図７〜図９は、本発明の実施の形態１におけるデータセンタのホットアイル１４０を正面から観察した図である。また、図７〜図９は、熱気１６０が通路端面側から通路他端面側へ向かって流れる各過程を示す。図７〜図９に示されるように、熱気１６０が進行方向に進むほど、ホットアイル１４０を挟むラック列１２０の間の幅方向の距離が短くなり、熱気１６０が通過する空間の縦断面４１０，４２０，４３０の面積は小さくなる。つまり、空調機１００に近づくほど、熱気１６０が通過する空間の縦断面４１０，４２０，４３０の面積は小さくなる。詳細には、図７に示される空調機１００からの距離が離れている空間の縦断面４１０の面積の方が、図８に示される縦断面４２０の面積よりも大きい。また、図８に示される縦断面４２０の面積の方が、図９に示される縦断面４３０の面積よりも大きい。
【００３４】
空調機１００は、面積が最も小さい通路他端面１４２と対向して配置されている。そのため、熱気１６０は、スムーズに通路他端面１４２を通過し、効率的に空調機１００に回収される。
【００３５】
なお、図１０に示されるように、コールドアイル１３０を挟むいずれか一方のラック列１２０のみを、コールドアイル１３０を挟む各ラック列１２０の間の中心線と所定の角度（例えば、１度〜４５度のいずれかの角度）をなすように配置するようにしても良い。また、ホットアイル１４０を挟むいずれか一方のラック列１２０のみを、ホットアイル１４０を挟む各ラック列１２０の間の中心線と所定の角度（例えば、１度〜４５度のいずれかの角度）をなすように配置するようにしても良い。
【００３６】
また、図１１に示されるように、データセンタの壁と面するラック列１１０１，１１０４を、面する壁と並行させて配置し、壁と並行するラック列１１０１，１１０４と面するラック列１１０２，１１０３を、壁と並行するラック列１１０１，１１０４と非平行で列状に並べて配置する（つまり、コールドアイル１３０またはホットアイル１４０を挟む各ラック列１２０の間の中心線と所定の角度（例えば、１度〜４５度のいずれかの角度）をなすように配置する）ようにしても良い。これによって、データセンタ内のスペースを有効に活用してラック列１１０１，１１０２，１１０３，１１０４を配置できるようになる。
【００３７】
また、隔壁１７０を各ラック列１２０の上面に固定することに替えて、ラック列１２０を構成する各ラック１１０の高さをデータセンタの天井と同一の高さにするようにしても良い。この場合、コールドアイル１３０およびホットアイル１４０は、上方がデータセンタの天井、下方が床面１８０、側方がラック列１２０によって囲われることによって形成される。
【００３８】
また、ラック１１０の高さが十分に高く天井との間の距離が十分少ない場合には、隔壁１７０は、不要である。
【００３９】
＜実施の形態１の効果＞
ラック列１２０を、空気が通路を進行する方向に進むほど、ラック列１２０と他のラック列１２０との間隔が狭くなるように配置することで、エアフローを作るのに必要な、空調機１００の冷気１５０を運搬するエネルギーを低減できるようになる。
【００４０】
[実施の形態２]
本実施の形態２が実施の形態１と異なる点は、実施の形態２の空調機１００が、データセンタの床下に存在する空間である通風空間に向けて冷気１５０を送風する点である。以下、実施の形態２を実施の形態１と異なる点を主に図１２〜図１４を用いて説明する。
【００４１】
図１２は、本発明の実施の形態２におけるデータセンタの構成例の概要を示す平面図である。図１３は本発明の実施の形態２におけるデータセンタの通風空間の概要を示す平面図である。なお、図１２および図１３において、データセンタは、説明の便宜の為に模式的に図示されている。図１２に示されるように、コールドアイル１３０の床面の一部は、格子状のグレーチング２１０で形成される。グレーチング２１０は、データセンタの床下に形成される通風空間１３００の上面の一部を覆う。グレーチング２１０には、通風空間１３００からデータセンタの床面までを貫通する複数の通風孔が形成されている。
【００４２】
また、通風空間１３００のコールドアイル１３０の下方の流路の側面は、各側面の間の中心線と所定の角度（例えば、１度〜４５度のいずれかの角度）をなす。つまり、通風空間１３００は、進行方向（冷気１５０の進行方向）に進むほど、幅方向の距離が短くなるように形成される。そして、冷気１５０が通風空間１３００を進行方向に進むほど、冷気１５０が通過する通風空間１３００の縦断面の面積が小さくなる。つまり、空調機１００からの距離が離れるほど、冷気１５０が通過する通風空間１３００の縦断面の面積は小さくなる。
【００４３】
ここで、空調機１００からの距離が離れるほど、空調機１００から送風される冷気１５０の風量は小さくなる。しかし、空調機１００からの距離が離れるほど、冷気１５０が通過する通風空間１３００の断面積も小さくなるため、冷気１５０は、通風空間１３００を進行方向へスムーズに通過する。
【００４４】
空調機１００から通風空間１３００に向けて送風された冷気１５０は、通風空間１３００を流れる。そして、通風空間１３００を流れる冷気１５０は、各グレーチング２１０の通風孔を介してコールドアイル１３０へと吹き出す。コールドアイル１３０へ吹き出された冷気１５０は、ラック１１０の吸気口からラック１１０内へ吸気される。ラック１１０に収容される電子機器は、吸気された冷気１５０により冷却される。ラック１１０内へ吸気された冷気１５０は、電子機器を冷却することで、熱気１６０になる。その後、熱気１６０は、ラック１１０の排気口からホットアイル１４０へと排気される。そして、排気口からホットアイル１４０へ排気された熱気１６０は、ホットアイル１４０を空調機１００へ向かって通過する。ホットアイル１４０を通過した熱気１６０は、空調機１００により回収される。空調機１００により回収された熱気１６０は、空調機１００により冷却される。そして、空調機１００は、冷気１５０をコールドアイル１３０へ送風する。このように、空調機１００が、冷気１５０を送風し、熱気１６０を回収するエアフローが形成される。
【００４５】
なお、図１４に示されるように、グレーチング１４００をラック列１２０の近傍に並行させて形成するようにしても良い。
【００４６】
＜実施の形態２の効果＞
以上のように、本実施の形態２によれば、実施の形態１と同様の効果に加えて、冷気１５０と熱気１６０とが混ざることを防止できるようになる。
【００４７】
[実施の形態３]
本発明の実施の形態３が実施の形態１と異なる点は、空調機から送風される冷気が高度の高い位置から低い位置へと流れ、ラックから排気される熱気が高度の低い位置から高い位置へと流れるという性質を利用することで、エアフローを作るのに必要な、空調機の冷気を搬送するエネルギーをさらに低減する点である。
【００４８】
つまり、実施の形態３は、第１踊り場から第１踊り場よりも低い位置にある第２踊り場まで延びる階段を有する。そして、空調機は、第１踊り場に配置され、ラック列は、ラックを階段の昇降方向に列状に並べることで構成される。そして、空調機から送風される冷気は、コールドアイルを下方に向かって流れ、ラックから排気される熱気がホットアイルを上方に向かって流れる。これによって、エアフローを作るために空調機の冷気を搬送するエネルギーをさらに低減できるようになる。
【００４９】
図１５は、本発明の実施の形態３におけるデータセンタの構成例の概要を示す斜視図である。なお、図１５において、データセンタは、説明の便宜の為に模式的に図示されている。また、図１５において、コールドアイルの上方に設けられる隔壁は、説明の便宜のために図示を省略している。
【００５０】
図１５に示されるように、データセンタには、第１踊り場１９１から第１踊り場１９１よりも低い位置にある第２踊り場１９４まで延びる階段１９０が設けられる。また、階段１９０の各段は、踏面１９２と蹴込面１９３とで構成される。各踏面１９２は、水平面と平行して設けられる。また、各蹴込面１９３は、鉛直方向に設けられる。なお、各蹴込面１９３を踏面１９２に対して傾斜させて設けるようにしても良い。
【００５１】
ラック１１０が載置される踏面１９２の踏面寸法は、ラック１１０の幅以上である。そして、各ラック１１０は、階段１９０の昇降方向に列状に各踏面１９２に載置される。これによって、ラック列１２０が配置される。さらに、各ラック１１０は、踏面１９２の幅方向に所定間隔ごとに載置される。
【００５２】
また、ラック列１２０は、冷気１５０がコールドアイル１３０を進行する方向に進むほど、ラック列１２０とラック列１２０が面する他のラック列１２０との間隔が狭くなるように配置される。また、ラック列１２０は、熱気１６０がホットアイル１４０を進行する方向に進むほど、ラック列１２０とラック列１２０が面する他のラック列１２０との間隔が狭くなるように配置される。
【００５３】
図１６は、本発明の実施の形態３におけるデータセンタのコールドアイル１３０を側方から観察した図である。なお、図１６は、説明の便宜の為に模式的に図示されている。
【００５４】
図１６に示されるように、コールドアイル１３０の上方には、階段形状の隔壁２３０が設けられる。また、この隔壁２３０は、コールドアイル１３０を挟む各ラック列１２０の上面に固定され、コールドアイル１３０の上方を覆う。そして、コールドアイル１３０は、上方が隔壁２３０、下方が踏面１９２、側方がラック列１２０によって囲われることによって形成される。
【００５５】
空調機１００は、ラック１１０に収容される電子機器を冷却させるための冷気１５０をコールドアイル１３０へ送風する。空調機１００からコールドアイル１３０へ送風された冷気１５０は、第１踊り場１９１から第２踊り場１９４に向かって下方へコールドアイル１３０を流れる。
【００５６】
各踏面１９２の高さは、空調機１００から離れるのに比例して低くなる。よって、冷気１５０がコールドアイル１３０を流れるのに伴い、冷気１５０が流れる位置と対応する各踏面１９２の高さが低くなる。冷気１５０は、高度が高い位置から低い位置へと流れる性質がある。そのため、送風された冷気１５０は、コールドアイル１３０を降方向へスムーズに流れる。
【００５７】
各ラック１１０の吸気口２００は、コールドアイル１３０を流れる冷気１５０を吸引する。ラック１１０内へ吸引された冷気１５０によって、ラック１１０に収容される電子機器は冷却される。そして、電子機器を冷却することで、冷気１５０は熱気１６０になる。その後、熱気１６０は、ラック１１０の排気口からホットアイル１４０へと排気される。
【００５８】
図１７は、本発明の実施の形態３におけるデータセンタのホットアイル１４０を側方から観察した図である。なお、図１７は、説明の便宜の為に模式的に図示されている。
【００５９】
ホットアイル１４０は、側方がラック列１２０によって囲われることによって形成される。
【００６０】
熱気１６０は、ラック１１０の排気口２２０からホットアイル１４０へと排気される。ラック１１０から排気された熱気１６０は、各排気口２２０から空調機１００まで上方へ向かってホットアイル１４０を流れる。
【００６１】
各踏面１９２の高さは、空調機１００へ近づくのに比例して高くなる。熱気１６０は、高度が低い位置から高い位置への流れる性質がある。よって、各排気口２２０から排気された熱気１６０は、ホットアイル１４０を昇方向へスムーズに流れる。その後、各排気口２２０から排気された熱気１６０は、空調機１００により回収される。このように、空調機１００が、冷気１５０を送風し、熱気１６０を回収するエアフローが形成される。
【００６２】
空調機１００により回収された熱気１６０は、空調機１００により冷却される。そして、空調機１００は、再び冷気１５０をコールドアイル１３０へ送風する。
【００６３】
なお、各踏面１９２の踏面寸法を、載置されるラック１１０の幅に応じて変更するようにしても良い。
【００６４】
また、踏面１９２の踏面寸法を蹴込面１９３の蹴上寸法よりも長くするようにしても良い。これによって、作業者にとって、ラック１１０に収容された各電子機器を確認する作業を行いやすくなる。
【００６５】
＜実施の形態３の効果＞
以上のように、本実施の形態３によれば、実施の形態１に対して、空調機１００の冷気１５０を搬送するエネルギーをさらに低減できるようになる。
【００６６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００６７】
１００…空調機、
１１０…ラック、
１２０，１１０１，１１０２，１１０３，１１０４…ラック列、
１３０…コールドアイル、
１３１，１４１…通路端面、
１３２，１４２…通路他端面、
１４０…ホットアイル、
１５０…冷気、１６０…熱気、
１７０，２３０…隔壁、
１８０…床面、
１９０…階段、１９１…第１踊り場、１９２…踏面、１９３…蹴込面、１９４…第２踊り場、
２００…吸気口、
２１０，１４００…グレーチング、
３１０，３２０，３３０，４１０，４２０，４３０…縦断面、
２２０…排気口、
１３００…通風空間。
【図１】
2015207226.tif 000003
【図２】
2015207226.tif 000004
【図３】
2015207226.tif 000005
【図４】
2015207226.tif 000006
【図５】
2015207226.tif 000007
【図６】
2015207226.tif 000008
【図７】
2015207226.tif 000009
【図８】
2015207226.tif 000010
【図９】
2015207226.tif 000011
【図１０】
2015207226.tif 000012
【図１１】
2015207226.tif 000013
【図１２】
2015207226.tif 000014
【図１３】
2015207226.tif 000015
【図１４】
2015207226.tif 000016
【図１５】
2015207226.tif 000017
【図１６】
2015207226.tif 000018
【図１７】
2015207226.tif 000019